(57)【要約】【課題】ゲルブロッキングが生じにくく、体液の吸収スピード及び吸水能力が向上でき、逆戻りが防止でき、装着感を悪化させない。【解決手段】パルプ繊維及び高吸水性ポリマーからなる吸水性積繊体８と、前記吸水性積繊体８の少なくとも肌対向面を覆うカバーシート９とを備えた吸収体４である。前記カバーシート９の非肌対向面に、外方側に突出した多数の凸部１０と前記凸部１０に隣接する窪んだ凹部１１とが形成され、前記凹部１１に前記吸水性積繊体８が積繊されている。前記吸水性積繊体８は、隣接する前記凸部１０の高さと同等以下の厚みで設けられている。【選択図】図６
2019130212.tif 000002
【特許請求の範囲】
【請求項１】
パルプ繊維及び高吸水性ポリマーからなる吸水性積繊体と、前記吸水性積繊体の少なくとも肌対向面を覆うカバーシートとを備えた吸収体であって、
前記カバーシートの非肌対向面に、外方側に突出した多数の凸部と前記凸部に隣接する窪んだ凹部とが形成され、前記凹部に前記吸水性積繊体が積繊されていることを特徴とする吸収体。
【請求項２】
前記吸水性積繊体は、隣接する前記凸部の高さと同等以下の厚みで設けられている請求項１記載の吸収体。
【請求項３】
前記吸水性積繊体の前記高吸水性ポリマーの一部が、前記カバーシートの前記凸部に埋設されている請求項１、２いずれかに記載の吸収体。
【請求項４】
前記凸部が前記カバーシートの長手方向に沿って延び、短手方向に間隔を空けて複数配置された畝で、前記凹部が溝となった畝溝構造を有している請求項１〜３いずれかに記載の吸収体。
【請求項５】
前記吸水性積繊体の非肌対向面側に隣接して、前記吸水性積繊体と比較してパルプ繊維の配合割合が大きく設定された第２吸水性積繊体が配設され、前記第２吸水性積繊体の少なくとも非肌対向面が第２カバーシートで覆われている請求項１〜４いずれかに記載の吸収体。
【請求項６】
上記請求項１〜５いずれかに記載の吸収体を製造する製造方法であって、
予め前記凸部及び凹部が一方面に形成されたカバーシートを作製しておき、前記カバーシートを前記凸部及び凹部が形成された面を外面側に向けて、周面に所定形状の積繊用凹部が備えられた積繊装置に供給し、前記積繊用凹部内において前記カバーシート上に前記吸水性積繊体を積繊することを特徴とする吸収体の製造方法。
【請求項７】
前記積繊用凹部内において前記カバーシート上に前記吸水性積繊体を積繊した後、前記積繊用凹部内の前記吸水性積繊体の表面を均す処理が施されている請求項６記載の吸収体の製造方法。
【請求項８】
上記請求項５記載の吸収体を製造する製造方法であって、
別工程で、周面に所定形状の第２積繊用凹部が備えられた第２積繊装置によって前記第２吸水性積繊体を積繊するとともに、供給された前記第２カバーシート上に載置し、前記第２吸水性積繊体に隣接して前記カバーシートに積繊された前記吸水性積繊体を配置する請求項６、７いずれかに記載の吸収体の製造方法。
【請求項９】
肌対向面側を覆う透液性表面シートと、非肌対向面側を覆う防漏シートとの間に、上記請求項１〜５いずれかに記載の吸収体が配置されたことを特徴とする吸収性物品。
【発明の詳細な説明】
【技術分野】
【０００１】
本発明は、主には失禁パッド、使い捨ておむつ、生理用ナプキン、おりものシート等の吸収性物品に使用される吸収体であって、高吸水性ポリマーの含有比率を高めてもゲルブロッキングが生じることなく、液拡散性に優れた吸収体及びその製造方法並びに吸収性物品に関する。
【背景技術】
【０００２】
従来より、上記吸収性物品として、ポリエチレンシートまたはポリエチレンシートラミネート不織布などの防漏シートと、不織布または透液性プラスチックシートなどの透液性表面シートとの間に綿状パルプ及び高吸水性ポリマー等からなる吸収体を介在したものが知られている。
【０００３】
前記吸収体の製造方法として、帯状のキャリアシートを粒子吸引部を備えた堆積装置に連続的に供給するとともに、該キャリアシート上に粒子を飛散状態にて供給し、該粒子を前記粒子吸引部から吸引して該キャリアシート上に堆積させ、該キャリアシートと該粒子とを含む粒子積繊体を得る方法が存在する（下記特許文献１、２参照）。
【０００４】
このような吸収体の製造方法を用いることにより、高吸水性ポリマーの含有比率を高め、パルプの目付を低くした薄型で高吸水容量の吸収体を、高速にて連続的に生産することができ、その際、高吸水性ポリマーの歩留まりを向上することができるなどの利点がある。
【先行技術文献】
【特許文献】
【０００５】
【特許文献１】特開２００１−１７１０２９号公報
【特許文献２】特開２００８−５０７３８４号公報
【発明の概要】
【発明が解決しようとする課題】
【０００６】
しかしながら、上記特許文献１、２記載の製造方法では、高吸水性ポリマーの含有比率を高めたことによって、間を空けて繰り返しの排尿があったときなどに、前回の排尿時の吸水によって膨潤したポリマー粒子間の空隙が極端に低下する、所謂「ゲルブロッキング」が発生しやすく、所要の吸水力や液拡散性、吸収スピードを発現出来なくなるおそれがあった。その結果、ポリマー粒子間の結合によって尿の浸透が阻害され、浸透を阻害された尿が再び逆戻りするなどの現象がみられるようになる。
【０００７】
また、高吸水性ポリマーの含有比率を高めると、製品の搬送時などの衝撃や圧力などによって高吸水性ポリマーが移動しやすく、移動した高吸水性ポリマーが折り畳まれた製品の折り返し部に溜まる問題がある。これによって、吸水能力の低下や、吸水して膨潤する高さが局所的に高くなる装着感の低下などを引き起こしていた。
【０００８】
そこで本発明の主たる課題は、ゲルブロッキングが生じにくく、体液の吸収スピード及び吸水能力が向上できるとともに、逆戻りが防止でき、装着感を悪化させない吸収体及びその製造方法並びに吸収性物品を提供することにある。
【課題を解決するための手段】
【０００９】
上記課題を解決するために請求項１に係る本発明として、パルプ繊維及び高吸水性ポリマーからなる吸水性積繊体と、前記吸水性積繊体の少なくとも肌対向面を覆うカバーシートとを備えた吸収体であって、
前記カバーシートの非肌対向面に、外方側に突出した多数の凸部と前記凸部に隣接する窪んだ凹部とが形成され、前記凹部に前記吸水性積繊体が積繊されていることを特徴とする吸収体が提供される。
【００１０】
上記請求項１記載の発明では、前記凸部及び凹部が形成された前記カバーシートの前記凹部に前記吸水性積繊体が積繊された構造を備えているため、前記吸水性積繊体が配置された前記カバーシートの凹部で体液が確実に吸収できるとともに、前記吸水性積繊体がほとんど配置されない前記凸部を通って体液がカバーシートを厚み方向に通過する通液性が確保される。これによって、前記吸水性積繊体として高吸水性ポリマーの含有比率を高めても、前記カバーシートの凸部を通って通液性が確保されるため、高吸水性ポリマーのゲルブロッキングによる通液障害が起こりにくく、体液の吸収スピード及び吸水能力が向上できるとともに、表面側に液残りしにくいため体液の逆戻りが防止できるようになる。
【００１１】
また、前記吸水性積繊体が前記カバーシートの凸部によって区画された凹部に配置されているため、高吸水性ポリマーが移動しにくく、高吸水性ポリマーを均一に分散配置した状態が維持でき、ポリマーの偏りによる吸水能力の低下や装着感の低下などが防止できる。
【００１２】
請求項２に係る本発明として、前記吸水性積繊体は、隣接する前記凸部の高さと同等以下の厚みで設けられている請求項１記載の吸収体が提供される。
【００１３】
上記請求項２記載の発明では、前記吸水性積繊体が、隣接する前記凸部の高さと同等以下の厚みで設けられているため、前記カバーシートの凸部を通って体液が吸水性積繊体より下層側に移行できる。そして、吸水性積繊体の下層側に隣接して面方向の拡散性に優れた部材、例えば前記吸水性積繊体と比較してパルプ繊維の配合割合を大きくしたものなどを配置することにより、この部材内部を体液が素早く拡散し、この部材内部又はこの上層側に隣接する吸水性積繊体に体液が素早く吸収されるようになる。
【００１４】
請求項３に係る本発明として、前記吸水性積繊体の前記高吸水性ポリマーの一部が、前記カバーシートの前記凸部に埋設されている請求項１、２いずれかに記載の吸収体が提供される。
【００１５】
上記請求項３記載の発明では、前記吸水性積繊体の積繊時に、積繊ドラム上で吸引する処理や、前記カバーシートの前記凸部及び凹部が形成された面に吸水性積繊体を積繊した後、表面をスカッフィングロールで均す処理などを施すことにより、前記吸水性積繊体を構成する高吸水性ポリマーの一部が、前記カバーシートの凸部の内部に埋設されるようにしている。これによって、カバーシートの凸部においても吸水機能が発揮され、より一層体液の吸収量が増加できるようになる。
【００１６】
請求項４に係る本発明として、前記凸部が前記カバーシートの長手方向に沿って延び、短手方向に間隔を空けて複数配置された畝で、前記凹部が溝となった畝溝構造を有している請求項１〜３いずれかに記載の吸収体が提供される。
【００１７】
上記請求項４記載の発明では、前記カバーシートの吸水性積繊体との対向面を畝溝構造としているため、吸水性積繊体を溝に沿って配置しやすくなるとともに、溝内に配置された吸水性積繊体が移動しにくく、吸水性積繊体の定着性が良好となる。また、畝となる前記凸部は、実質的にポリマーが含まれていないため、スリットの役割を果たし、畝が延びる方向に沿って体液が拡散しやすくなる。
【００１８】
請求項５に係る本発明として、前記吸水性積繊体の非肌対向面側に隣接して、前記吸水性積繊体と比較してパルプ繊維の配合割合が大きく設定された第２吸水性積繊体が配設され、前記第２吸水性積繊体の少なくとも非肌対向面が第２カバーシートで覆われている請求項１〜４いずれかに記載の吸収体が提供される。
【００１９】
上記請求項５記載の発明では、前記吸水性積繊体の非肌対向面側に隣接して、前記吸水性積繊体と比較してパルプ繊維の配合割合が大きく設定された第２吸水性積繊体が配設されているため、前記カバーシートの凸部を通って吸水性積繊体の下層側に移行した体液が、前記第２吸水性積繊体の内部を広い範囲に拡散することができ、前記吸水性積繊体のゲルブロッキングによる通液障害がより確実に防止でき、体液の吸収スピード及び吸水能力がより一層向上できる。
【００２０】
請求項６に係る本発明として、上記請求項１〜５いずれかに記載の吸収体を製造する製造方法であって、
予め前記凸部及び凹部が一方面に形成されたカバーシートを作製しておき、前記カバーシートを前記凸部及び凹部が形成された面を外面側に向けて、周面に所定形状の積繊用凹部が備えられた積繊装置に供給し、前記積繊用凹部内において前記カバーシート上に前記吸水性積繊体を積繊することを特徴とする吸収体の製造方法が提供される。
【００２１】
上記請求項６記載の発明では、予め前記凸部及び凹部が形成されたカバーシートを、前記凸部及び凹部が形成された面を外面側に向けて積繊装置に供給し、前記積繊用凹部内において前記カバーシート上に前記吸水性積繊体を積繊しているため、前記吸水性積繊体をカバーシートの凹部に積繊しやすくなる。
【００２２】
請求項７に係る本発明として、前記積繊用凹部内において前記カバーシート上に前記吸水性積繊体を積繊した後、前記積繊用凹部内の前記吸水性積繊体の表面を均す処理が施されている請求項６記載の吸収体の製造方法が提供される。
【００２３】
上記請求項７記載の発明では、前記積繊用凹部内において前記カバーシート上に前記吸水性積繊体を積繊した後、スカッフィングロールなどによって前記積繊用凹部内の前記吸水性積繊体の表面を均す処理を施すことによって、前記吸水性積繊体が確実に凹部内に定着できるとともに、高吸水性ポリマーの一部が凸部に埋設され、かつ吸水性積繊体の積繊高さを前記凸部の高さと同等以下にすることができる。
【００２４】
請求項８に係る本発明として、上記請求項５記載の吸収体を製造する製造方法であって、
別工程で、周面に所定形状の第２積繊用凹部が備えられた第２積繊装置によって前記第２吸水性積繊体を積繊するとともに、供給された前記第２カバーシート上に載置し、前記第２吸水性積繊体に隣接して前記カバーシートに積繊された前記吸水性積繊体を配置する請求項６、７いずれかに記載の吸収体の製造方法が提供される。
【００２５】
上記請求項８記載の発明は、前記吸水性積繊体の非肌対向面側に隣接して第２吸水性積繊体及び第２カバーシートがこの順で積層された吸収体を製造する方法である。この場合、別工程で、前記第２カバーシート上に第２吸水性積繊体が載置されたものを製作しておき、この第２吸水性積繊体の上面に隣接して、前記カバーシートに積繊された吸水性積繊体を配置する。
【００２６】
請求項９に係る本発明として、肌対向面側を覆う透液性表面シートと、非肌対向面側を覆う防漏シートとの間に、上記請求項１〜５いずれかに記載の吸収体が配置されたことを特徴とする吸収性物品が提供される。
【発明の効果】
【００２７】
以上詳説のとおり本発明によれば、ゲルブロッキングが生じにくく、体液の吸収スピード及び吸水能力が向上できるとともに、逆戻りが防止でき、装着感を悪化させない吸収体及びその製造方法並びに吸収性物品が提供できるようになる。
【図面の簡単な説明】
【００２８】
【図１】本発明に係る失禁パッド１の一部破断展開図である。
【図２】図１のII−II線矢視図である。
【図３】図１のIII−III線矢視図である。
【図４】吸水性積繊体８とカバーシート９との積層体を非肌対向面側からみた平面図である。
【図５】図４のV−V線矢視図である。
【図６】体液の吸収経路を示す吸収体４の横断面図である。
【図７】吸収体４の製造装置３０、４０を示す縦断面図である。
【図８】製造装置３０を示す縦断面図である。
【発明を実施するための形態】
【００２９】
以下、本発明の実施の形態について図面を参照しながら詳述する。
＜失禁パッドの基本構造の一例＞
本発明に係る失禁パッド１は、図１〜図３に示されるように、ポリエチレンシートなどからなる防漏シート２と、肌当接面をなし、尿などを速やかに透過させる表面シート３と、これら両シート２、３間に介装された吸収体４と、失禁パッド１の最外面（非肌当接面）を覆う外装シート５と、前記吸収体４の略側縁部を起立基端とし、かつ少なくとも着用者の排尿口部を含む前後方向の所定の区間内において肌側に突出して設けられた左右一対の立体ギャザーＢＳ、ＢＳを形成するサイド不織布６、６とから主に構成され、かつ吸収体４の周囲においては、その上下端縁部では防漏シート２、表面シート３及び外装シート５の外縁部がホットメルトなどの接着剤やヒートシール、超音波シール等の接合手段によって接合され、またその両側縁部では吸収体４よりも側方に延出している防漏シート２、表面シート３、外装シート５及びサイド不織布６がホットメルトなどの接着剤やヒートシール、超音波シール等の接合手段によって接合されている。
【００３０】
前記防漏シート２は、ポリエチレン等の少なくとも遮水性を有するシート材が用いられるが、近年ではムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記防漏シート２としては、プラスチックフィルムと不織布とを積層させたポリラミ不織布を用いてもよい。
【００３１】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３２】
外装シート５は、防漏シート２を覆って失禁パッド１の外面を布のような外観、肌触りとするものである。外装シート５としては、不織布で形成するのが好ましい。素材繊維は、ポリエチレンまたはポリプロピレン等のオレフィン系、ポリエステル系、ポリアミド系等の合成繊維の他、レーヨンやキュプラ等の再生繊維、綿等の天然繊維を用いることができ、加工法は、スパンレース法、スパンボンド法、サーマルボンド法、エアスルー法、ニードルパンチ法等を用いて製作することができる。但し、肌触り及び強度を両立できる点でスパンボンド不織布やＳＭＳ不織布、ＳＭＭＳ不織布等の長繊維不織布が好ましい。
不織布は一枚で使用する他、複数枚を重ねて使用することもでき、複数枚を重ねて使用する場合は、不織布相互をホットメルト等の接着剤を介して固定するのが好ましい。また、不織布を用いる場合は、その繊維目付けは１０〜５０ｇ／ｍ２、特に１５〜３０ｇ／ｍ２が好ましい。
【００３３】
前記外装シート５の非使用面側（外面）には１または複数条の仮止め層（図示せず）が形成され、身体への装着時に失禁パッド１を下着や紙おむつ等に固定するようにしてもよい。前記仮止め層としては、機械接合式のフック材を用いてもよいし、粘着剤を用いてもよい。前記仮止め層は必要に応じて設けられており、特に設けなくてもよい。
【００３４】
図示例では、外装シート５は吸収体４の幅よりも若干幅が広い程度とされ、両側部が防漏シート２及び表面シート３の側縁を巻き込むようにして表面シート３の肌側にまで延在され、表面シート３の幅方向外側は、この肌側に延在する外装シート５の外面側に表面シート３の両側部表面から延在するサイド不織布６、具体的には尿等が浸透するのを防止する、あるいは肌触り感を高めるなどの目的に応じて、適宜の撥水処理または親水処理を施した不織布素材を用いて構成されたサイド不織布６が配設されている。かかるサイド不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３５】
前記サイド不織布６の内方側部分はほぼ二重に折り返されるとともに、この二重シート内部に、その高さ方向中間部に両端または長手方向の適宜の位置が固定された１又は複数本の、図示例では３本の糸状弾性伸縮部材７、７…が両端または長手方向の適宜の位置が固定された状態で配設されている。この二重シート部分は前後端部では図３に示されるように、外側に１回折り返して積層された状態で吸収体４側に接着されることによって、少なくとも着用者の排尿口部を含む前後方向の所定の区間内において図２に示されるように、肌側に起立する立体ギャザーＢＳ、ＢＳが左右対で形成されている。
【００３６】
＜吸収体＞
前記防漏シート２と表面シート３との間に介在される吸収体４は、パルプ繊維及び高吸水性ポリマーからなる吸水性積繊体８と、前記吸水性積繊体８の少なくとも肌対向面を覆うカバーシート９とを備え、体液を吸収保持する性質を有するものである。
【００３７】
前記吸水性積繊体８は、たとえば綿状パルプと高吸水性ポリマーとにより構成されている。前記高吸水性ポリマーは吸水性積繊体８を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３８】
また、前記吸水性積繊体８には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３９】
前記高吸水性ポリマーとは、「粒子」以外に「粉体」も含む。高吸水性ポリマーは、この種の吸収性物品に使用される粒径のものをそのまま使用でき、平均粒径が１０００μｍ以下、好ましくは未吸収時の粒径が１０６μｍ以上のものが全体の９９重量％以上、特に１５０〜８５０μｍのものが全体の９９重量％以上であるのが望ましい。未吸収時の平均粒径は２５０〜５００μｍ程度であるのが好ましい。また、高吸水性ポリマーは吸収後の平均粒径が未吸収時の平均粒径の３倍以上、具体的には５００μｍ以上であることが望ましい。なお、未吸収時の高吸水性ポリマーの平均粒径は、重量基準粒度分布における積算値５０％での粒径を意味する。この場合における重量基準粒度分布は、ＪＩＳＺ８８１５−１９９４に準拠して測定される。すなわち、内径１５０ｍｍ、深さ４５ｍｍの７１０μｍ、５００μｍ、３００μｍ、１５０μｍ及び１０６μｍの目開きのふるいを、目開きの狭いふるいを下にして重ね、一番上の最も目開きの広い７１０μｍのふるいの上に、測定試料５０ｇを入れ、ふるい振動機にて１０分間ふるい、各ふるいの上に残った測定試料の重量を測定し、最初の測定試料の重量に基づく各ふるいの上に残った測定試料の重量％を求めることによって測定される。
高吸水性ポリマーの目付け量は、当該吸収体４の用途で要求される吸収量に応じて適宜定めることができる。したがって一概にはいえないが、５０〜３５０ｇ／ｍ２とすることができる。ポリマーの目付け量が５０ｇ／ｍ２未満では、吸収量を確保し難くなる。３５０ｇ／ｍ２を超えると、効果が飽和するばかりでなく、高吸水性ポリマーの過剰によりジャリジャリした違和感を与えるようになる。
【００４０】
前記吸水性積繊体８は、パルプおよび高吸水性ポリマーの合計重量に対する高吸水性ポリマーの比率が５０〜９０重量％であるのが好ましい。後段で詳述するように、前記吸水性積繊体８は、カバーシート９の所定領域に配置されるため、高吸水性ポリマーの比率が５０重量％より小さいと、吸水能力が不足するおそれがある。一方、９０重量％より大きいと、高吸水性ポリマーのジャリ感（粒子感）が強く感じられ、使用感が低下する。
【００４１】
前記カバーシート９は、ティッシュペーパ、特にクレープ紙、不織布、ポリラミ不織布、小孔が開いたシート等で形成されている。ただし、高吸水性ポリマーが抜け出ないシートであるのが望ましい。クレープ紙に代えて不織布を使用する場合、嵩高構造をとりやすく、凹凸加工適性に優れたエアスルー不織布が特に好ましい。繊維目付けは、後述する凹凸が形成しやすいように、１５ｇ／ｍ２以上、特に２０〜１００ｇ／ｍ２のものが好ましい。
【００４２】
図４及び図５に示されるように、前記カバーシート９の非肌対向面には、外方側（非肌側）に突出した多数の凸部１０と、前記凸部１０に隣接する窪んだ凹部１１とが形成されている。すなわち、前記カバーシート９のうち、失禁パッド１の装着時に着用者の肌面に対向する側の面と反対側の面（非肌対向面）にのみ、前記凸部１０及び凹部１１によって厚み方向に高さの異なる凹凸が形成され、これと反対側の面（肌対向面）は平坦面となっている。
【００４３】
前記凸部１０は、図４に示されるように、吸収体４の外縁まで達しない中間部に設けるのが好ましく、それより外縁には凹部１１を形成するのが好ましい。図４に示される平面視において、前記凸部１０が占める面積は、吸収体４の面積（凸部１０及び凹部１１の合計面積）のうち、５０％以下、好ましくは１０〜３５％とするのがよい。後段で詳述するように、凹部１１には吸水性積繊体８が配置されるため、凸部１０の面積を大きくし過ぎると、吸水能力が低下するおそれがある。
【００４４】
前記カバーシート９は、吸収体４のほぼ外縁まで延び、吸水性積繊体８が所定の領域に所定の厚みで配置され、カバーシート９と吸水性積繊体８とで一体的な積層体を構成している。
【００４５】
前記凹凸が形成された面において、前記凹部１１には、吸水性積繊体８が積繊されている。前記吸水性積繊体８は、カバーシート９の凹部１１に積繊され、凸部１０にはほとんど積繊されないようにするのが好ましい。凸部１０に積繊されないとは、凸部１０に吸水性積繊体８を構成するパルプ繊維及び高吸水性ポリマーが実質的に存在しないことであり、前記パルプ繊維及び高吸水性ポリマーが全く存在しないか、積繊時の吸引処理や、スカッフィングロールなどを用いて表面を均す処理を施すことによって若干存在するものの、その量が凹部１１に比べて格段に小さな状態のことである。
【００４６】
前記吸水性積繊体８は、隣接する凸部１０の高さと同等以下の厚みで設けるのが好ましい。すなわち、吸水性積繊体８は、前記凹部１１に対して、前記凸部１０とほぼ同じ高さか、これより低く積繊するのがよい。
【００４７】
前記吸収体４は、図２及び図６に示されるように、前記吸水性積繊体８の非肌対向面側に隣接して、パルプ繊維と高吸水性ポリマーとからなる第２吸水性積繊体１２が配設されるとともに、前記第２吸水性積繊体１２の少なくとも非肌対向面が第２カバーシート１３で覆われて構成するのが望ましい。このとき、前記第２吸水性積繊体１２は、前記吸水性積繊体８と比較してパルプ繊維の配合割合を大きく設定するとともに、高吸水性ポリマーの配合割合を小さく設定するのが好ましい。具体的には、パルプ及び高吸水性ポリマーの合計重量に対するパルプ繊維の比率が５０〜９０重量％、好ましくは６０〜９０重量％であるのが好ましい。このように第２吸水性積繊体１２にパルプ繊維を多く含ませることにより、体液を吸収した際に毛管作用による面方向への素早い拡散が生じやすくなる。
【００４８】
前記第２吸水性積繊体１２は、前記カバーシート９及び吸水性積繊体８の積層体とほぼ同等の平面形状で形成されている。
【００４９】
前記第２カバーシート１３は、前記カバーシート９と同様に、ティッシュペーパ、特にクレープ紙、不織布、ポリラミ不織布、小孔が開いたシート等で形成することができる。ただし、高吸水性ポリマーが抜け出ないシートであるのが望ましい。クレープ紙に換えて不織布を使用する場合、親水性のＳＭＭＳ（スパンボンド／メルトブローン／メルトブローン／スパンボンド）不織布が特に好ましく、その材質はポリプロピレン、ポリエチレン／ポリプロピレン等を使用できる。繊維目付けは、５〜４０ｇ／ｍ２、特に１０〜３０ｇ／ｍ２のものが好ましい。
【００５０】
前記第２カバーシート１３は、パッド長手方向に対しては、前記カバーシート９と吸水性積繊体８との積層体とほぼ同等か、これより若干長めとされ、前記積層体の両端とほぼ一致する大きさで積層されるか、前記積層体より長手方向に若干長めとされている。一方、図２に示されるように、パッド幅方向に対しては、前記カバーシート９及び吸水性積繊体８の積層体より両側に延在して設けられ、この積層体及び第２吸水性積繊体１２の側縁を巻き込むようにして、カバーシート９の肌対向面側の両側部にそれぞれ折り畳まれている。これにより、吸収体４の両側縁が第２カバーシート１３によって覆われるため、横漏れがしにくい構造となっている。
【００５１】
このように、前記凸部１０及び凹部１１が形成されたカバーシート９の前記凹部１１に、前記吸水性積繊体８が積繊された構造を備えているため、図６に示されるように、前記吸水性積繊体８が配置されたカバーシート９の凹部１１で体液が確実に吸収できるとともに、前記吸水性積繊体８がほとんど配置されない前記凸部１０を通って、体液がカバーシート９を厚み方向に通過する通液性が確保される。これによって、前記吸水性積繊体８として高吸水性ポリマーの含有比率を高めても、前記カバーシート９の凸部１０を通って通液性が確保されるため、高吸水性ポリマーのゲルブロッキングによる通液障害が起こりにくく、体液の吸収スピード及び吸水能力が向上できるとともに、表面側に液のこりしにくいため体液の逆戻りが防止できるようになる。
【００５２】
また、前記吸水性積繊体８がカバーシート９の凸部１０によって区画された凹部１１に配置されているため、高吸水性ポリマーが移動しにくく、高吸水性ポリマーを均一に分散配置した状態が維持でき、ポリマーの偏りによる吸水能力の低下や装着感の悪化などが防止できる。
【００５３】
また、吸水性積繊体８が隣接する凸部１０の高さと同等以下の厚みで設けられているため、カバーシート９の凸部１０を通って体液が吸水性積繊体８の下層側に配置された第２吸水性積繊体１２に移行しやすくなる。
【００５４】
そして、図６に示されるように、吸水性積繊体８の下層側に隣接して面方向の拡散性に優れた第２吸水性積繊体１２が配置されているため、この第２吸水性積繊体１２の内部を体液が素早く拡散し、この部材内部又はこの上層側に隣接する吸水性積繊体８に体液が素早く吸収されるようになる。
【００５５】
前記凸部１０及び凹部１１は、任意のパターンで配置することができる。図４及び図５の配置パターンは、前記凸部１０がカバーシート９の長手方向に沿って延び、短手方向に間隔を空けて複数配置された畝で、前記凹部１１が溝となった畝溝構造を有している。カバーシート９が畝溝構造を有することによって吸水性積繊体８を溝に沿って配置しやすくなるとともに、溝内に配置された吸水性積繊体８が移動しにくく、吸水性積繊体８の定着性が良好となる。また、畝となる前記凸部１０は、実質的に高吸水性ポリマーが含まれていないか、含まれていたとしても少量であるため、高吸水性ポリマーの存在しないスリットのような役割を果たし、畝が延びる方向に沿って体液が拡散しやすくなる。前記畝溝構造は、吸収体４の幅方向にほぼ等間隔で、長手方向に直線的に形成されているが、排尿口部での通液性を高めるため、隣り合う凸部１０、１０の間隔が排尿口部で最も狭く、前後に向かうに従って徐々に広がる放射状に配置してもよい。
【００５６】
前記凸部１０の上面（非肌対向面）は、図５に示される例ではほぼ平坦に形成されているが、図７に示される吸収体４の横断面視で、非肌側に膨出する湾曲面に形成するのがより好ましい。凸部１０の頂部を外側に膨出する湾曲面とすることにより、凸部１０が凹部１１に積繊された吸水性積繊体８より外側に突出しやすくなり、下層側の第２吸水性積繊体１２と接触しやすくなるため、凸部１０を通って肌側の体液が第２吸水性積繊体１２に移行しやすくなる。
【００５７】
＜吸収体の製造方法＞
次に、前記吸収体４の製造方法について説明する。予め、一方側面に前記凸部１０及び凹部１１を備えたカバーシート９を作製しておく。前記凸部１０及び凹部１１の作製は、公知の方法を用いることが可能である。例えば、表面が平坦な不織布に対して、前記凹部１１に対応する部分にエンボスを施すことにより凹凸を設けてもよいし、カバーシート９の不織布製作工程において、前記凹部１１に対応する部分に流体を吹き付けて、凹部１１の繊維を凸部１０に寄せ集めることにより凹凸を設けてもよい。
【００５８】
次いで、前記カバーシート９と吸水性積繊体８との積層体を作製する。かかる積層体の作製は、例えば図８に示される第１の製造装置３０により製造される。前記第１の製造装置３０は、供給される吸水性積繊体８を構成する繊維シート材料を細かく粉砕するための解繊装置３１と、この解繊装置３１を囲繞するとともに、粉砕された粉砕パルプを空気流に乗せて搬送するための粉砕パルプ供給ケーシング３２と、この粉砕パルプ供給ケーシング３２の下流側開口部に配置される積繊装置３３とからなる。前記積繊装置３３は、外周面に適宜の間隔で積繊用凹部３４、３４…を備えるとともに、この積繊用凹部３４の底面に多数の吸引孔（図示せず）を有する積繊用回転ドラム３５と、この積繊用回転ドラム３５の内部側に配設される吸引チャンバ３６とからなり、図示しない吸引手段によって前記吸引チャンバ３６内が負圧に維持されることにより、積繊用凹部３４内に空気搬送された吸収体構成繊維を積繊させるようになっている。なお、前記粉砕パルプ供給ケーシング３２には、高吸水性ポリマーの粉粒物を粉砕パルプと共に供給するためのポリマー投入口３７が設けられている。
【００５９】
かかる第１の製造装置３０によりカバーシート９及び吸水性積繊体８の積層体を製造するには、前記凸部１０及び凹部１１が形成されたカバーシート９を凹凸形成面を外面側に向けて、前記前記積繊装置３３に供給し、積繊装置３３の積繊用回転ドラム３５にカバーシート９を抱かせ、解繊装置３１で解繊された繊維を、積繊用凹部３４内においてカバーシート９上に積繊する。
【００６０】
前記吸水性積繊体８の積繊において、積繊用凹部３４の底面から吸引することにより、粉砕パルプとともに供給された高吸水性ポリマーの粉粒物が、カバーシート９の凸部１０及び凹部１１内にそれぞれ埋設されるようになる。これによって、凸部１０においても吸水能力が発揮され、凸部１０を通ってカバーシート９に浸透する体液が高吸水性ポリマーにも吸水保持されるようになる。
【００６１】
前記凸部１０の高さ以上に堆積させた吸水性積繊体８は、スカッフィングロール３８によって凸部１０に堆積した繊維が凹部１１に落とし込まれるとともに、全体に凸部１０の高さで均される。このとき、過剰の吸水性積繊体８は、前記スカッフィングロール３８によって掻き取られる。
【００６２】
一方、前記第２吸水性積繊体１２及び第２カバーシート１３の積層体を作製するには、図８に示される第２の製造装置４０により製造される。前記第２の製造装置４０としては、通常の積繊装置を用いることができる。かかる第２の製造装置４０は、供給される第２吸水性積繊体１２を構成する繊維シート材料を細かく粉砕するための解繊装置４１と、この解繊装置４１を囲繞すると共に、粉砕された粉砕パルプを空気流に乗せて搬送するための粉砕パルプ供給ケーシング４２と、この粉砕パルプ供給ケーシング４２の下流側開口部に配設される積繊装置４３とからなる。前記積繊装置４３は、外周面に適宜の間隔で積繊用凹部４４を備えるとともに、この積繊用凹部４４の底面に多数の吸引孔（図示せず）を有する積繊用回転ドラム４５と、この積繊用回転ドラム４５の内部側に配設される吸引チャンバ４６とからなり、図示しない吸引手段によって前記吸引チャンバ４６内が負圧に維持されることにより前記積繊用凹部４４内に空気搬送された吸収体構成繊維を積繊させるようになっている。なお、前記粉砕パルプ供給ケーシング４２には、高吸水性ポリマーの粉粒物を前記粉砕パルプと共に供給するためのポリマー投入口４７が設けられている。また、積繊用凹部４４にあふれるように堆積させた過剰量の第２吸水性積繊体１２を掻き取るスカッフィングロール４８を備えるようにしてもよい。
【００６３】
係る第２の製造装置４０により第２吸水性積繊体１２及び第２カバーシート１３の積層体を作製するには、前記解繊装置４１で解繊した後、積繊装置４３により積繊することにより第２吸水性積繊体１２を製造するとともに、この第２吸水性積繊体１２がベルトコンベア５０によって移送されたキャリアシートとなる第２カバーシート１３上に転写される。
【００６４】
第２カバーシート１３上に転写された第２吸水性積繊体１２は、ベルトコンベア５０によって、前記第１の製造装置３０に移送され、この第１の製造装置３０によって製造されたカバーシート９及び吸水性積繊体８の積層体が載置され、吸収体４が完成する。
【符号の説明】
【００６５】
１…失禁パッド、２…防漏シート、３…表面シート、４…吸収体、５…外装シート、６…サイド不織布、７…糸状弾性伸縮部材、８…吸水性積繊体、９…カバーシート、１０…凸部、１１…凹部、１２…第２吸水性積繊体、１３…第２カバーシート、３０…第１の製造装置、３１・４１…解繊装置、３２・４２…粉砕パルプ供給ケーシング、３３・４３…積繊装置、３４・４４…積繊用凹部、３５・４５…積繊用回転ドラム、３６・４６…吸引チャンバ、３７・４７…ポリマー投入口、３８・４８…スカッフィングロール、５０…ベルトコンベア
【図１】
2019130212.tif 000003
【図２】
2019130212.tif 000004
【図３】
2019130212.tif 000005
【図４】
2019130212.tif 000006
【図５】
2019130212.tif 000007
【図６】
2019130212.tif 000008
【図７】
2019130212.tif 000009
【図８】
2019130212.tif 000010
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
パルプ繊維及び高吸水性ポリマーからなる吸水性積繊体と、前記吸水性積繊体の少なくとも肌対向面を覆うクレープ紙又は不織布からなるカバーシートとを備えた吸収体であって、
前記カバーシートの非肌対向面に、外方側に突出した多数の凸部と前記凸部に隣接する窪んだ凹部とが形成される一方、前記カバーシートの肌対向面は平坦面とされ、
前記吸水性積繊体は、パルプ繊維および高吸水性ポリマーの合計重量に対する高吸収性ポリマーの比率が５０〜９０重量％とされ、前記カバーシートの凹部に、隣接する凸部の高さと同等以下の厚みで積繊され、前記カバーシートの凸部には前記吸水性積繊体が存在していないか、或いはその量が凹部に比べて格段に小さな状態とされ、
前記吸水性積繊体の非肌対向面側に隣接して、前記吸水性積繊体と比較してパルプ繊維の配合割合が大きく設定された第２吸水性積繊体が配設され、前記第２吸水性積繊体の少なくとも非肌対向面がクレープ紙又は不織布からなる第２カバーシートで覆われていることを特徴とする吸収体。
【請求項２】
前記凸部が前記カバーシートの長手方向に沿って延び、短手方向に間隔を空けて複数配置された畝で、前記凹部が溝となった畝溝構造を有している請求項１記載の吸収体。
【請求項３】
前記第２吸水性積繊体は、パルプ繊維および高吸水性ポリマーの合計重量に対するパルプ繊維の比率が５０〜９０重量％である請求項１、２いずれかに記載の吸収体。
【請求項４】
上記請求項１〜３いずれかに記載の吸収体を製造する製造方法であって、
予め前記凸部及び凹部が一方面に形成されたカバーシートを作製しておき、前記カバーシートを前記凸部及び凹部が形成された面を外面側に向けて、周面に所定形状の積繊用凹部が備えられた積繊装置に供給し、前記積繊用凹部内において前記カバーシート上に前記吸水性積繊体を積繊した後、前記積繊用凹部内の前記吸水性積繊体の表面を均す処理が施される工程と、
別工程で、周面に所定形状の第２積繊用凹部が備えられた第２積繊装置によって前記第２吸水性積繊体を積繊するとともに、供給された前記第２カバーシート上に載置し、前記第２吸水性積繊体に隣接して前記カバーシートに積繊された前記吸水性積繊体を配置する工程とを有することを特徴とする吸収体の製造方法。
【請求項５】
肌対向面側を覆う透液性表面シートと、非肌対向面側を覆う防漏シートとの間に、上記請求項１〜３いずれかに記載の吸収体が配置されたことを特徴とする吸収性物品。
【手続補正２】
【補正対象書類名】明細書
【補正対象項目名】全文
【補正方法】変更
【補正の内容】
【発明の詳細な説明】
【技術分野】
【０００１】
本発明は、主には失禁パッド、使い捨ておむつ、生理用ナプキン、おりものシート等の吸収性物品に使用される吸収体であって、高吸水性ポリマーの含有比率を高めてもゲルブロッキングが生じることなく、液拡散性に優れた吸収体及びその製造方法並びに吸収性物品に関する。
【背景技術】
【０００２】
従来より、上記吸収性物品として、ポリエチレンシートまたはポリエチレンシートラミネート不織布などの防漏シートと、不織布または透液性プラスチックシートなどの透液性表面シートとの間に綿状パルプ及び高吸水性ポリマー等からなる吸収体を介在したものが知られている。
【０００３】
前記吸収体の製造方法として、帯状のキャリアシートを粒子吸引部を備えた堆積装置に連続的に供給するとともに、該キャリアシート上に粒子を飛散状態にて供給し、該粒子を前記粒子吸引部から吸引して該キャリアシート上に堆積させ、該キャリアシートと該粒子とを含む粒子積繊体を得る方法が存在する（下記特許文献１、２参照）。
【０００４】
このような吸収体の製造方法を用いることにより、高吸水性ポリマーの含有比率を高め、パルプの目付を低くした薄型で高吸水容量の吸収体を、高速にて連続的に生産することができ、その際、高吸水性ポリマーの歩留まりを向上することができるなどの利点がある。
【先行技術文献】
【特許文献】
【０００５】
【特許文献１】特開２００１−１７１０２９号公報
【特許文献２】特開２００８−５０７３８４号公報
【発明の概要】
【発明が解決しようとする課題】
【０００６】
しかしながら、上記特許文献１、２記載の製造方法では、高吸水性ポリマーの含有比率を高めたことによって、間を空けて繰り返しの排尿があったときなどに、前回の排尿時の吸水によって膨潤したポリマー粒子間の空隙が極端に低下する、所謂「ゲルブロッキング」が発生しやすく、所要の吸水力や液拡散性、吸収スピードを発現出来なくなるおそれがあった。その結果、ポリマー粒子間の結合によって尿の浸透が阻害され、浸透を阻害された尿が再び逆戻りするなどの現象がみられるようになる。
【０００７】
また、高吸水性ポリマーの含有比率を高めると、製品の搬送時などの衝撃や圧力などによって高吸水性ポリマーが移動しやすく、移動した高吸水性ポリマーが折り畳まれた製品の折り返し部に溜まる問題がある。これによって、吸水能力の低下や、吸水して膨潤する高さが局所的に高くなる装着感の低下などを引き起こしていた。
【０００８】
そこで本発明の主たる課題は、ゲルブロッキングが生じにくく、体液の吸収スピード及び吸水能力が向上できるとともに、逆戻りが防止でき、装着感を悪化させない吸収体及びその製造方法並びに吸収性物品を提供することにある。
【課題を解決するための手段】
【０００９】
上記課題を解決するために請求項１に係る本発明として、パルプ繊維及び高吸水性ポリマーからなる吸水性積繊体と、前記吸水性積繊体の少なくとも肌対向面を覆うクレープ紙又は不織布からなるカバーシートとを備えた吸収体であって、
前記カバーシートの非肌対向面に、外方側に突出した多数の凸部と前記凸部に隣接する窪んだ凹部とが形成される一方、前記カバーシートの肌対向面は平坦面とされ、
前記吸水性積繊体は、パルプ繊維および高吸水性ポリマーの合計重量に対する高吸収性ポリマーの比率が５０〜９０重量％とされ、前記カバーシートの凹部に、隣接する凸部の高さと同等以下の厚みで積繊され、前記カバーシートの凸部には前記吸水性積繊体が存在していないか、或いはその量が凹部に比べて格段に小さな状態とされ、
前記吸水性積繊体の非肌対向面側に隣接して、前記吸水性積繊体と比較してパルプ繊維の配合割合が大きく設定された第２吸水性積繊体が配設され、前記第２吸水性積繊体の少なくとも非肌対向面がクレープ紙又は不織布からなる第２カバーシートで覆われていることを特徴とする吸収体が提供される。
【００１０】
上記請求項１記載の発明では、カバーシートの非肌対向面に、外方側に突出した多数の凸部と前記凸部に隣接する窪んだ凹部とが形成される一方、カバーシートの肌対向面は平坦面とされる。また、前記吸水性積繊体は、パルプ繊維および高吸水性ポリマーの合計重量に対する高吸収性ポリマーの比率が５０〜９０重量％とされる。そして、前記凸部及び凹部が形成された前記カバーシートの前記凹部に、隣接する凸部の高さと同等以下の厚みで積繊され、前記カバーシートの凸部には前記吸水性積繊体が存在していないか、或いはその量が凹部に比べて格段に小さな状態とされた吸収体構造を備えているため、前記吸水性積繊体が配置された前記カバーシートの凹部で体液が確実に吸収できるとともに、前記吸水性積繊体がほとんど配置されない前記凸部を通って体液がカバーシートを厚み方向に通過する通液性が確保される。これによって、前記吸水性積繊体として高吸水性ポリマーの含有比率を高めても、前記カバーシートの凸部を通って通液性が確保されるため、高吸水性ポリマーのゲルブロッキングによる通液障害が起こりにくく、体液の吸収スピード及び吸水能力が向上できるとともに、表面側に液残りしにくいため体液の逆戻りが防止できるようになる。
【００１１】
また、前記吸水性積繊体が前記カバーシートの凸部によって区画された凹部に配置されているため、高吸水性ポリマーが移動しにくく、高吸水性ポリマーを均一に分散配置した状態が維持でき、ポリマーの偏りによる吸水能力の低下や装着感の低下などが防止できる。
【００１２】
上記発明では、前記吸水性積繊体が、隣接する前記凸部の高さと同等以下の厚みで設けられているため、前記カバーシートの凸部を通って体液が吸水性積繊体より下層側に移行できる。そして、吸水性積繊体の下層側に隣接して面方向の拡散性に優れた部材、例えば前記吸水性積繊体と比較してパルプ繊維の配合割合を大きくしたものなどを配置することにより、この部材内部を体液が素早く拡散し、この部材内部又はこの上層側に隣接する吸水性積繊体に体液が素早く吸収されるようになる。
【００１３】
さらに、上記発明では、前記吸水性積繊体の非肌対向面側に隣接して、前記吸水性積繊体と比較してパルプ繊維の配合割合が大きく設定された第２吸水性積繊体が配設されているため、前記カバーシートの凸部を通って吸水性積繊体の下層側に移行した体液が、前記第２吸水性積繊体の内部を広い範囲に拡散することができ、前記吸水性積繊体のゲルブロッキングによる通液障害がより確実に防止でき、体液の吸収スピード及び吸水能力がより一層向上できる。
【００１４】
請求項２に係る本発明として、前記凸部が前記カバーシートの長手方向に沿って延び、短手方向に間隔を空けて複数配置された畝で、前記凹部が溝となった畝溝構造を有している請求項１記載の吸収体が提供される。
【００１５】
上記請求項２記載の発明では、前記カバーシートの吸水性積繊体との対向面を畝溝構造としているため、吸水性積繊体を溝に沿って配置しやすくなるとともに、溝内に配置された吸水性積繊体が移動しにくく、吸水性積繊体の定着性が良好となる。また、畝となる前記凸部は、実質的にポリマーが含まれていないため、スリットの役割を果たし、畝が延びる方向に沿って体液が拡散しやすくなる。
【００１６】
請求項３に係る本発明として、前記第２吸水性積繊体は、パルプ繊維および高吸水性ポリマーの合計重量に対するパルプ繊維の比率が５０〜９０重量％である請求項１、２いずれかに記載の吸収体が提供される。
【００１７】
請求項４に係る本発明として、上記請求項１〜３いずれかに記載の吸収体を製造する製造方法であって、
予め前記凸部及び凹部が一方面に形成されたカバーシートを作製しておき、前記カバーシートを前記凸部及び凹部が形成された面を外面側に向けて、周面に所定形状の積繊用凹部が備えられた積繊装置に供給し、前記積繊用凹部内において前記カバーシート上に前記吸水性積繊体を積繊した後、前記積繊用凹部内の前記吸水性積繊体の表面を均す処理が施される工程と、
別工程で、周面に所定形状の第２積繊用凹部が備えられた第２積繊装置によって前記第２吸水性積繊体を積繊するとともに、供給された前記第２カバーシート上に載置し、前記第２吸水性積繊体に隣接して前記カバーシートに積繊された前記吸水性積繊体を配置する工程とを有することを特徴とする吸収体の製造方法
が提供される。
【００１８】
上記請求項４記載の発明では、予め前記凸部及び凹部が形成されたカバーシートを、前記凸部及び凹部が形成された面を外面側に向けて積繊装置に供給し、前記積繊用凹部内において前記カバーシート上に前記吸水性積繊体を積繊しているため、前記吸水性積繊体をカバーシートの凹部に積繊しやすくなる。
【００１９】
そして、前記積繊用凹部内において前記カバーシート上に前記吸水性積繊体を積繊した後、スカッフィングロールなどによって前記積繊用凹部内の前記吸水性積繊体の表面を均す処理を施すことによって、前記吸水性積繊体が確実に凹部内に定着できるとともに、吸水性積繊体の積繊高さを前記凸部の高さと同等以下にすることができる。
【００２０】
第２吸水性積繊体及び第２カバーシートについては、別工程で、前記第２カバーシート上に第２吸水性積繊体が載置されたものを製作しておき、この第２吸水性積繊体の上面に隣接して、前記カバーシートに積繊された吸水性積繊体を配置する。
【００２１】
請求項５に係る本発明として、肌対向面側を覆う透液性表面シートと、非肌対向面側を覆う防漏シートとの間に、上記請求項１〜３いずれかに記載の吸収体が配置されたことを特徴とする吸収性物品が提供される。
【発明の効果】
【００２２】
以上詳説のとおり本発明によれば、ゲルブロッキングが生じにくく、体液の吸収スピード及び吸水能力が向上できるとともに、逆戻りが防止でき、装着感を悪化させない吸収体及びその製造方法並びに吸収性物品が提供できるようになる。
【図面の簡単な説明】
【００２３】
【図１】本発明に係る失禁パッド１の一部破断展開図である。
【図２】図１のII−II線矢視図である。
【図３】図１のIII−III線矢視図である。
【図４】吸水性積繊体８とカバーシート９との積層体を非肌対向面側からみた平面図である。
【図５】図４のV−V線矢視図である。
【図６】体液の吸収経路を示す吸収体４の横断面図である。
【図７】吸収体４の製造装置３０、４０を示す縦断面図である。
【図８】製造装置３０を示す縦断面図である。
【発明を実施するための形態】
【００２４】
以下、本発明の実施の形態について図面を参照しながら詳述する。
＜失禁パッドの基本構造の一例＞
本発明に係る失禁パッド１は、図１〜図３に示されるように、ポリエチレンシートなどからなる防漏シート２と、肌当接面をなし、尿などを速やかに透過させる表面シート３と、これら両シート２、３間に介装された吸収体４と、失禁パッド１の最外面（非肌当接面）を覆う外装シート５と、前記吸収体４の略側縁部を起立基端とし、かつ少なくとも着用者の排尿口部を含む前後方向の所定の区間内において肌側に突出して設けられた左右一対の立体ギャザーＢＳ、ＢＳを形成するサイド不織布６、６とから主に構成され、かつ吸収体４の周囲においては、その上下端縁部では防漏シート２、表面シート３及び外装シート５の外縁部がホットメルトなどの接着剤やヒートシール、超音波シール等の接合手段によって接合され、またその両側縁部では吸収体４よりも側方に延出している防漏シート２、表面シート３、外装シート５及びサイド不織布６がホットメルトなどの接着剤やヒートシール、超音波シール等の接合手段によって接合されている。
【００２５】
前記防漏シート２は、ポリエチレン等の少なくとも遮水性を有するシート材が用いられるが、近年ではムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記防漏シート２としては、プラスチックフィルムと不織布とを積層させたポリラミ不織布を用いてもよい。
【００２６】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００２７】
外装シート５は、防漏シート２を覆って失禁パッド１の外面を布のような外観、肌触りとするものである。外装シート５としては、不織布で形成するのが好ましい。素材繊維は、ポリエチレンまたはポリプロピレン等のオレフィン系、ポリエステル系、ポリアミド系等の合成繊維の他、レーヨンやキュプラ等の再生繊維、綿等の天然繊維を用いることができ、加工法は、スパンレース法、スパンボンド法、サーマルボンド法、エアスルー法、ニードルパンチ法等を用いて製作することができる。但し、肌触り及び強度を両立できる点でスパンボンド不織布やＳＭＳ不織布、ＳＭＭＳ不織布等の長繊維不織布が好ましい。
不織布は一枚で使用する他、複数枚を重ねて使用することもでき、複数枚を重ねて使用する場合は、不織布相互をホットメルト等の接着剤を介して固定するのが好ましい。また、不織布を用いる場合は、その繊維目付けは１０〜５０ｇ／ｍ２、特に１５〜３０ｇ／ｍ２が好ましい。
【００２８】
前記外装シート５の非使用面側（外面）には１または複数条の仮止め層（図示せず）が形成され、身体への装着時に失禁パッド１を下着や紙おむつ等に固定するようにしてもよい。前記仮止め層としては、機械接合式のフック材を用いてもよいし、粘着剤を用いてもよい。前記仮止め層は必要に応じて設けられており、特に設けなくてもよい。
【００２９】
図示例では、外装シート５は吸収体４の幅よりも若干幅が広い程度とされ、両側部が防漏シート２及び表面シート３の側縁を巻き込むようにして表面シート３の肌側にまで延在され、表面シート３の幅方向外側は、この肌側に延在する外装シート５の外面側に表面シート３の両側部表面から延在するサイド不織布６、具体的には尿等が浸透するのを防止する、あるいは肌触り感を高めるなどの目的に応じて、適宜の撥水処理または親水処理を施した不織布素材を用いて構成されたサイド不織布６が配設されている。かかるサイド不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３０】
前記サイド不織布６の内方側部分はほぼ二重に折り返されるとともに、この二重シート内部に、その高さ方向中間部に両端または長手方向の適宜の位置が固定された１又は複数本の、図示例では３本の糸状弾性伸縮部材７、７…が両端または長手方向の適宜の位置が固定された状態で配設されている。この二重シート部分は前後端部では図３に示されるように、外側に１回折り返して積層された状態で吸収体４側に接着されることによって、少なくとも着用者の排尿口部を含む前後方向の所定の区間内において図２に示されるように、肌側に起立する立体ギャザーＢＳ、ＢＳが左右対で形成されている。
【００３１】
＜吸収体＞
前記防漏シート２と表面シート３との間に介在される吸収体４は、パルプ繊維及び高吸水性ポリマーからなる吸水性積繊体８と、前記吸水性積繊体８の少なくとも肌対向面を覆うカバーシート９とを備え、体液を吸収保持する性質を有するものである。
【００３２】
前記吸水性積繊体８は、たとえば綿状パルプと高吸水性ポリマーとにより構成されている。前記高吸水性ポリマーは吸水性積繊体８を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３３】
また、前記吸水性積繊体８には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３４】
前記高吸水性ポリマーとは、「粒子」以外に「粉体」も含む。高吸水性ポリマーは、この種の吸収性物品に使用される粒径のものをそのまま使用でき、平均粒径が１０００μｍ以下、好ましくは未吸収時の粒径が１０６μｍ以上のものが全体の９９重量％以上、特に１５０〜８５０μｍのものが全体の９９重量％以上であるのが望ましい。未吸収時の平均粒径は２５０〜５００μｍ程度であるのが好ましい。また、高吸水性ポリマーは吸収後の平均粒径が未吸収時の平均粒径の３倍以上、具体的には５００μｍ以上であることが望ましい。なお、未吸収時の高吸水性ポリマーの平均粒径は、重量基準粒度分布における積算値５０％での粒径を意味する。この場合における重量基準粒度分布は、ＪＩＳＺ８８１５−１９９４に準拠して測定される。すなわち、内径１５０ｍｍ、深さ４５ｍｍの７１０μｍ、５００μｍ、３００μｍ、１５０μｍ及び１０６μｍの目開きのふるいを、目開きの狭いふるいを下にして重ね、一番上の最も目開きの広い７１０μｍのふるいの上に、測定試料５０ｇを入れ、ふるい振動機にて１０分間ふるい、各ふるいの上に残った測定試料の重量を測定し、最初の測定試料の重量に基づく各ふるいの上に残った測定試料の重量％を求めることによって測定される。
高吸水性ポリマーの目付け量は、当該吸収体４の用途で要求される吸収量に応じて適宜定めることができる。したがって一概にはいえないが、５０〜３５０ｇ／ｍ２とすることができる。ポリマーの目付け量が５０ｇ／ｍ２未満では、吸収量を確保し難くなる。３５０ｇ／ｍ２を超えると、効果が飽和するばかりでなく、高吸水性ポリマーの過剰によりジャリジャリした違和感を与えるようになる。
【００３５】
前記吸水性積繊体８は、パルプおよび高吸水性ポリマーの合計重量に対する高吸水性ポリマーの比率が５０〜９０重量％であるのが好ましい。後段で詳述するように、前記吸水性積繊体８は、カバーシート９の所定領域に配置されるため、高吸水性ポリマーの比率が５０重量％より小さいと、吸水能力が不足するおそれがある。一方、９０重量％より大きいと、高吸水性ポリマーのジャリ感（粒子感）が強く感じられ、使用感が低下する。
【００３６】
前記カバーシート９は、ティッシュペーパ、特にクレープ紙、不織布、ポリラミ不織布、小孔が開いたシート等で形成されている。ただし、高吸水性ポリマーが抜け出ないシートであるのが望ましい。クレープ紙に代えて不織布を使用する場合、嵩高構造をとりやすく、凹凸加工適性に優れたエアスルー不織布が特に好ましい。繊維目付けは、後述する凹凸が形成しやすいように、１５ｇ／ｍ２以上、特に２０〜１００ｇ／ｍ２のものが好ましい。
【００３７】
図４及び図５に示されるように、前記カバーシート９の非肌対向面には、外方側（非肌側）に突出した多数の凸部１０と、前記凸部１０に隣接する窪んだ凹部１１とが形成されている。すなわち、前記カバーシート９のうち、失禁パッド１の装着時に着用者の肌面に対向する側の面と反対側の面（非肌対向面）にのみ、前記凸部１０及び凹部１１によって厚み方向に高さの異なる凹凸が形成され、これと反対側の面（肌対向面）は平坦面となっている。
【００３８】
前記凸部１０は、図４に示されるように、吸収体４の外縁まで達しない中間部に設けるのが好ましく、それより外縁には凹部１１を形成するのが好ましい。図４に示される平面視において、前記凸部１０が占める面積は、吸収体４の面積（凸部１０及び凹部１１の合計面積）のうち、５０％以下、好ましくは１０〜３５％とするのがよい。後段で詳述するように、凹部１１には吸水性積繊体８が配置されるため、凸部１０の面積を大きくし過ぎると、吸水能力が低下するおそれがある。
【００３９】
前記カバーシート９は、吸収体４のほぼ外縁まで延び、吸水性積繊体８が所定の領域に所定の厚みで配置され、カバーシート９と吸水性積繊体８とで一体的な積層体を構成している。
【００４０】
前記凹凸が形成された面において、前記凹部１１には、吸水性積繊体８が積繊されている。前記吸水性積繊体８は、カバーシート９の凹部１１に積繊され、凸部１０にはほとんど積繊されないようにするのが好ましい。凸部１０に積繊されないとは、凸部１０に吸水性積繊体８を構成するパルプ繊維及び高吸水性ポリマーが実質的に存在しないことであり、前記パルプ繊維及び高吸水性ポリマーが全く存在しないか、積繊時の吸引処理や、スカッフィングロールなどを用いて表面を均す処理を施すことによって若干存在するものの、その量が凹部１１に比べて格段に小さな状態のことである。
【００４１】
前記吸水性積繊体８は、隣接する凸部１０の高さと同等以下の厚みで設けるのが好ましい。すなわち、吸水性積繊体８は、前記凹部１１に対して、前記凸部１０とほぼ同じ高さか、これより低く積繊するのがよい。
【００４２】
前記吸収体４は、図２及び図６に示されるように、前記吸水性積繊体８の非肌対向面側に隣接して、パルプ繊維と高吸水性ポリマーとからなる第２吸水性積繊体１２が配設されるとともに、前記第２吸水性積繊体１２の少なくとも非肌対向面が第２カバーシート１３で覆われて構成するのが望ましい。このとき、前記第２吸水性積繊体１２は、前記吸水性積繊体８と比較してパルプ繊維の配合割合を大きく設定するとともに、高吸水性ポリマーの配合割合を小さく設定するのが好ましい。具体的には、パルプ及び高吸水性ポリマーの合計重量に対するパルプ繊維の比率が５０〜９０重量％、好ましくは６０〜９０重量％であるのが好ましい。このように第２吸水性積繊体１２にパルプ繊維を多く含ませることにより、体液を吸収した際に毛管作用による面方向への素早い拡散が生じやすくなる。
【００４３】
前記第２吸水性積繊体１２は、前記カバーシート９及び吸水性積繊体８の積層体とほぼ同等の平面形状で形成されている。
【００４４】
前記第２カバーシート１３は、前記カバーシート９と同様に、ティッシュペーパ、特にクレープ紙、不織布、ポリラミ不織布、小孔が開いたシート等で形成することができる。ただし、高吸水性ポリマーが抜け出ないシートであるのが望ましい。クレープ紙に換えて不織布を使用する場合、親水性のＳＭＭＳ（スパンボンド／メルトブローン／メルトブローン／スパンボンド）不織布が特に好ましく、その材質はポリプロピレン、ポリエチレン／ポリプロピレン等を使用できる。繊維目付けは、５〜４０ｇ／ｍ２、特に１０〜３０ｇ／ｍ２のものが好ましい。
【００４５】
前記第２カバーシート１３は、パッド長手方向に対しては、前記カバーシート９と吸水性積繊体８との積層体とほぼ同等か、これより若干長めとされ、前記積層体の両端とほぼ一致する大きさで積層されるか、前記積層体より長手方向に若干長めとされている。一方、図２に示されるように、パッド幅方向に対しては、前記カバーシート９及び吸水性積繊体８の積層体より両側に延在して設けられ、この積層体及び第２吸水性積繊体１２の側縁を巻き込むようにして、カバーシート９の肌対向面側の両側部にそれぞれ折り畳まれている。これにより、吸収体４の両側縁が第２カバーシート１３によって覆われるため、横漏れがしにくい構造となっている。
【００４６】
このように、前記凸部１０及び凹部１１が形成されたカバーシート９の前記凹部１１に、前記吸水性積繊体８が積繊された構造を備えているため、図６に示されるように、前記吸水性積繊体８が配置されたカバーシート９の凹部１１で体液が確実に吸収できるとともに、前記吸水性積繊体８がほとんど配置されない前記凸部１０を通って、体液がカバーシート９を厚み方向に通過する通液性が確保される。これによって、前記吸水性積繊体８として高吸水性ポリマーの含有比率を高めても、前記カバーシート９の凸部１０を通って通液性が確保されるため、高吸水性ポリマーのゲルブロッキングによる通液障害が起こりにくく、体液の吸収スピード及び吸水能力が向上できるとともに、表面側に液のこりしにくいため体液の逆戻りが防止できるようになる。
【００４７】
また、前記吸水性積繊体８がカバーシート９の凸部１０によって区画された凹部１１に配置されているため、高吸水性ポリマーが移動しにくく、高吸水性ポリマーを均一に分散配置した状態が維持でき、ポリマーの偏りによる吸水能力の低下や装着感の悪化などが防止できる。
【００４８】
また、吸水性積繊体８が隣接する凸部１０の高さと同等以下の厚みで設けられているため、カバーシート９の凸部１０を通って体液が吸水性積繊体８の下層側に配置された第２吸水性積繊体１２に移行しやすくなる。
【００４９】
そして、図６に示されるように、吸水性積繊体８の下層側に隣接して面方向の拡散性に優れた第２吸水性積繊体１２が配置されているため、この第２吸水性積繊体１２の内部を体液が素早く拡散し、この部材内部又はこの上層側に隣接する吸水性積繊体８に体液が素早く吸収されるようになる。
【００５０】
前記凸部１０及び凹部１１は、任意のパターンで配置することができる。図４及び図５の配置パターンは、前記凸部１０がカバーシート９の長手方向に沿って延び、短手方向に間隔を空けて複数配置された畝で、前記凹部１１が溝となった畝溝構造を有している。カバーシート９が畝溝構造を有することによって吸水性積繊体８を溝に沿って配置しやすくなるとともに、溝内に配置された吸水性積繊体８が移動しにくく、吸水性積繊体８の定着性が良好となる。また、畝となる前記凸部１０は、実質的に高吸水性ポリマーが含まれていないか、含まれていたとしても少量であるため、高吸水性ポリマーの存在しないスリットのような役割を果たし、畝が延びる方向に沿って体液が拡散しやすくなる。前記畝溝構造は、吸収体４の幅方向にほぼ等間隔で、長手方向に直線的に形成されているが、排尿口部での通液性を高めるため、隣り合う凸部１０、１０の間隔が排尿口部で最も狭く、前後に向かうに従って徐々に広がる放射状に配置してもよい。
【００５１】
前記凸部１０の上面（非肌対向面）は、図５に示される例ではほぼ平坦に形成されているが、図７に示される吸収体４の横断面視で、非肌側に膨出する湾曲面に形成するのがより好ましい。凸部１０の頂部を外側に膨出する湾曲面とすることにより、凸部１０が凹部１１に積繊された吸水性積繊体８より外側に突出しやすくなり、下層側の第２吸水性積繊体１２と接触しやすくなるため、凸部１０を通って肌側の体液が第２吸水性積繊体１２に移行しやすくなる。
【００５２】
＜吸収体の製造方法＞
次に、前記吸収体４の製造方法について説明する。予め、一方側面に前記凸部１０及び凹部１１を備えたカバーシート９を作製しておく。前記凸部１０及び凹部１１の作製は、公知の方法を用いることが可能である。例えば、表面が平坦な不織布に対して、前記凹部１１に対応する部分にエンボスを施すことにより凹凸を設けてもよいし、カバーシート９の不織布製作工程において、前記凹部１１に対応する部分に流体を吹き付けて、凹部１１の繊維を凸部１０に寄せ集めることにより凹凸を設けてもよい。
【００５３】
次いで、前記カバーシート９と吸水性積繊体８との積層体を作製する。かかる積層体の作製は、例えば図８に示される第１の製造装置３０により製造される。前記第１の製造装置３０は、供給される吸水性積繊体８を構成する繊維シート材料を細かく粉砕するための解繊装置３１と、この解繊装置３１を囲繞するとともに、粉砕された粉砕パルプを空気流に乗せて搬送するための粉砕パルプ供給ケーシング３２と、この粉砕パルプ供給ケーシング３２の下流側開口部に配置される積繊装置３３とからなる。前記積繊装置３３は、外周面に適宜の間隔で積繊用凹部３４、３４…を備えるとともに、この積繊用凹部３４の底面に多数の吸引孔（図示せず）を有する積繊用回転ドラム３５と、この積繊用回転ドラム３５の内部側に配設される吸引チャンバ３６とからなり、図示しない吸引手段によって前記吸引チャンバ３６内が負圧に維持されることにより、積繊用凹部３４内に空気搬送された吸収体構成繊維を積繊させるようになっている。なお、前記粉砕パルプ供給ケーシング３２には、高吸水性ポリマーの粉粒物を粉砕パルプと共に供給するためのポリマー投入口３７が設けられている。
【００５４】
かかる第１の製造装置３０によりカバーシート９及び吸水性積繊体８の積層体を製造するには、前記凸部１０及び凹部１１が形成されたカバーシート９を凹凸形成面を外面側に向けて、前記前記積繊装置３３に供給し、積繊装置３３の積繊用回転ドラム３５にカバーシート９を抱かせ、解繊装置３１で解繊された繊維を、積繊用凹部３４内においてカバーシート９上に積繊する。
【００５５】
前記吸水性積繊体８の積繊において、積繊用凹部３４の底面から吸引することにより、粉砕パルプとともに供給された高吸水性ポリマーの粉粒物が、カバーシート９の凸部１０及び凹部１１内にそれぞれ埋設されるようになる。これによって、凸部１０においても吸水能力が発揮され、凸部１０を通ってカバーシート９に浸透する体液が高吸水性ポリマーにも吸水保持されるようになる。
【００５６】
前記凸部１０の高さ以上に堆積させた吸水性積繊体８は、スカッフィングロール３８によって凸部１０に堆積した繊維が凹部１１に落とし込まれるとともに、全体に凸部１０の高さで均される。このとき、過剰の吸水性積繊体８は、前記スカッフィングロール３８によって掻き取られる。
【００５７】
一方、前記第２吸水性積繊体１２及び第２カバーシート１３の積層体を作製するには、図８に示される第２の製造装置４０により製造される。前記第２の製造装置４０としては、通常の積繊装置を用いることができる。かかる第２の製造装置４０は、供給される第２吸水性積繊体１２を構成する繊維シート材料を細かく粉砕するための解繊装置４１と、この解繊装置４１を囲繞すると共に、粉砕された粉砕パルプを空気流に乗せて搬送するための粉砕パルプ供給ケーシング４２と、この粉砕パルプ供給ケーシング４２の下流側開口部に配設される積繊装置４３とからなる。前記積繊装置４３は、外周面に適宜の間隔で積繊用凹部４４を備えるとともに、この積繊用凹部４４の底面に多数の吸引孔（図示せず）を有する積繊用回転ドラム４５と、この積繊用回転ドラム４５の内部側に配設される吸引チャンバ４６とからなり、図示しない吸引手段によって前記吸引チャンバ４６内が負圧に維持されることにより前記積繊用凹部４４内に空気搬送された吸収体構成繊維を積繊させるようになっている。なお、前記粉砕パルプ供給ケーシング４２には、高吸水性ポリマーの粉粒物を前記粉砕パルプと共に供給するためのポリマー投入口４７が設けられている。また、積繊用凹部４４にあふれるように堆積させた過剰量の第２吸水性積繊体１２を掻き取るスカッフィングロール４８を備えるようにしてもよい。
【００５８】
係る第２の製造装置４０により第２吸水性積繊体１２及び第２カバーシート１３の積層体を作製するには、前記解繊装置４１で解繊した後、積繊装置４３により積繊することにより第２吸水性積繊体１２を製造するとともに、この第２吸水性積繊体１２がベルトコンベア５０によって移送されたキャリアシートとなる第２カバーシート１３上に転写される。
【００５９】
第２カバーシート１３上に転写された第２吸水性積繊体１２は、ベルトコンベア５０によって、前記第１の製造装置３０に移送され、この第１の製造装置３０によって製造されたカバーシート９及び吸水性積繊体８の積層体が載置され、吸収体４が完成する。
【符号の説明】
【００６０】
１…失禁パッド、２…防漏シート、３…表面シート、４…吸収体、５…外装シート、６…サイド不織布、７…糸状弾性伸縮部材、８…吸水性積繊体、９…カバーシート、１０…凸部、１１…凹部、１２…第２吸水性積繊体、１３…第２カバーシート、３０…第１の製造装置、３１・４１…解繊装置、３２・４２…粉砕パルプ供給ケーシング、３３・４３…積繊装置、３４・４４…積繊用凹部、３５・４５…積繊用回転ドラム、３６・４６…吸引チャンバ、３７・４７…ポリマー投入口、３８・４８…スカッフィングロール、５０…ベルトコンベア